【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
（１）次亜塩素酸アルカリ金属塩、（２）アルカリ剤、（３）界面活性剤、及び（４）水溶性化合物を含有する洗浄剤であって、チキソトロピー性を有するとともに、
（３）界面活性剤が、（ａ）脂肪酸のアルカリ金属塩、（ｂ）アミンオキサイド、及び（ｃ）アルキルベンゼンスルホン酸塩を含む界面活性剤混合物であり、
（４）水溶性化合物が、下記（Ａ）〜（Ｃ）の何れかの水溶性化合物又はこれらの混合物であることを特徴とする洗浄剤。
（Ａ）下記（Ｉ）式で表される水溶性化合物
Ｒ1Ｏ(ＥＯ)nＲ2   （Ｉ）
（式中、Ｒ1、Ｒ2、ＥＯ、ｎは次のものを表す。
Ｒ1、Ｒ2：水素、または炭素数１〜８の分岐あるいは直鎖のアルキル基
ＥＯ：オキシエチレン基
ｎ：エチレンオキサイドの平均付加モル数であり、４０≦ｎ≦１０００）
（Ｂ）下記（II）式で表される末端封鎖型の水溶性化合物の１種又は２種以上
Ｒ3Ｏ―（ＡＯ）p−（ＥＯ）q−Ｒ4      （II）
（式中、Ｒ3、Ｒ4、ＡＯ、ＥＯ、ｐ、ｑは次のものを表す。
Ｒ3：置換基を含んでも良い炭素数１〜８の１価炭化水素基
Ｒ4：炭素数１〜４のアルキル基又はアルケニル基
ＡＯ：炭素数３〜８のオキシアルキレン基から選ばれる１種又は２種以上
ＥＯ：オキシエチレン基
ｐ：アルキレンオキサイドの平均付加モル数であり、０≦ｐ≦１０
ｑ：エチレンオキサイドの平均付加モル数であり、０≦ｑ≦１５
ｐ＋ｑ＝１〜１５）
（Ｃ）下記（III）式で表される末端封鎖型の水溶性化合物の１種又は２種以上
Ｒ5Ｏ―［（ＡＯ）s（ＥＯ）t］−Ｒ6               （III）
（式中、Ｒ5、Ｒ6、ＡＯ、ＥＯ、ｓ、ｔは次のものを表す。
Ｒ5：置換基を含んでも良い炭素数１〜８の１価炭化水素基
Ｒ6：炭素数１〜４のアルキル基又はアルケニル基
ＡＯ：炭素数３〜８のオキシアルキレン基から選ばれる１種又は２種以上
ＥＯ：オキシエチレン基
ｓ：アルキレンオキサイドの平均付加モル数であり、０≦ｓ≦１０
ｔ：エチレンオキサイドの平均付加モル数であり、０≦ｔ≦１５
ｓ＋ｔ＝１〜１５）
【請求項２】
前記（２）アルカリ剤の含有量が０．１〜５質量％、前記（３）界面活性剤の含有量が０．１〜１０質量％、前記（４）水溶性化合物の含有量が０．０５〜５質量％であることを特徴とする請求項１に記載の洗浄剤。
【請求項３】
前記洗浄剤の、Ｈａａｋｅ ＲＳ−１００粘度計を用いて２５℃において測定した粘度が、３０００sec-1の剪断速度域では０．１〜１００mPa・sであり、０．５sec-1の剪断速度域では１００〜１×１０5mPa・sであることを特徴とする請求項１又は請求項２に記載の洗浄剤。
【請求項４】
洗浄剤を収納する容器本体と、該容器本体内に収納された洗浄剤を吐出させる吐出装置とを有する吐出容器と、前記容器本体内に収納された洗浄剤とを備える洗浄剤製品であって、前記吐出装置が造泡機構を有すると共に、前記洗浄剤が前記請求項１から請求項３の何れかに記載の洗浄剤であることを特徴とする洗浄剤製品。
【手続補正２】
【補正対象書類名】明細書
【補正対象項目名】００１０
【補正方法】変更
【補正の内容】
【００１０】
すなわち、本発明は、（１）次亜塩素酸アルカリ金属塩、（２）アルカリ剤、（３）界面活性剤、及び（４）水溶性化合物を含有する洗浄剤であって、チキソトロピー性を有するとともに、（３）界面活性剤が、（ａ）脂肪酸のアルカリ金属塩、（ｂ）アミンオキサイド、及び（ｃ）アルキルベンゼンスルホン酸塩を含む界面活性剤混合物であり、（４）水溶性化合物が、下記（Ａ）〜（Ｃ）の何れかの水溶性化合物又はこれらの混合物であることを特徴とする洗浄剤を提供する。
（Ａ）下記（Ｉ）式で表される水溶性化合物
Ｒ1Ｏ(ＥＯ)nＲ2   （Ｉ）
（式中、Ｒ1、Ｒ2、ＥＯ、ｎは次のものを表す。
Ｒ1、Ｒ2：水素、または炭素数１〜８の分岐あるいは直鎖のアルキル基
ＥＯ：オキシエチレン基
ｎ：エチレンオキサイドの平均付加モル数であり、４０≦ｎ≦１０００）
（Ｂ）下記（II）式で表される末端封鎖型の水溶性化合物の１種又は２種以上
Ｒ3Ｏ―（ＡＯ）p−（ＥＯ）q−Ｒ4      （II）
（式中、Ｒ3、Ｒ4、ＡＯ、ＥＯ、ｐ、ｑは次のものを表す。
Ｒ3：置換基を含んでも良い炭素数１〜８の１価炭化水素基
Ｒ4：炭素数１〜４のアルキル基又はアルケニル基
ＡＯ：炭素数３〜８のオキシアルキレン基から選ばれる１種又は２種以上
ＥＯ：オキシエチレン基
ｐ：アルキレンオキサイドの平均付加モル数であり、０≦ｐ≦１０
ｑ：エチレンオキサイドの平均付加モル数であり、０≦ｑ≦１５
ｐ＋ｑ＝１〜１５）
（Ｃ）下記（III）式で表される末端封鎖型の水溶性化合物の１種又は２種以上
Ｒ5Ｏ―［（ＡＯ）s（ＥＯ）t］−Ｒ6               （III）
（式中、Ｒ5、Ｒ6、ＡＯ、ＥＯ、ｓ、ｔは次のものを表す。
Ｒ5：置換基を含んでも良い炭素数１〜８の１価炭化水素基
Ｒ6：炭素数１〜４のアルキル基又はアルケニル基
ＡＯ：炭素数３〜８のオキシアルキレン基から選ばれる１種又は２種以上
ＥＯ：オキシエチレン基
ｓ：アルキレンオキサイドの平均付加モル数であり、０≦ｓ≦１０
ｔ：エチレンオキサイドの平均付加モル数であり、０≦ｔ≦１５
ｓ＋ｔ＝１〜１５）
【手続補正３】
【補正対象書類名】明細書
【補正対象項目名】００２４
【補正方法】変更
【補正の内容】
【００２４】
本実施形態に使用される（３）成分の界面活性剤は、（ａ）脂肪酸のアルカリ金属塩、（ｂ）アミンオキサイド、（ｃ）アルキルベンゼンスルホン酸塩を含む界面活性剤混合物である。
【手続補正４】
【補正対象書類名】明細書
【補正対象項目名】００２５
【補正方法】変更
【補正の内容】
【００２５】
上記の界面活性剤混合物について、更に詳細に説明する。
（ａ）成分である脂肪酸のアルカリ金属塩としては、特に制限されないが、炭素数が８〜２０の直鎖または分岐鎖の不飽和を含む脂肪酸のアルカリ金属塩が好適である。適当な不飽和を含む脂肪酸のアルカリ金属塩としては、例えば、平均約１２個の炭素を含むヤシ脂肪酸（ヤシ油に由来）、平均約１８個の炭素原子を含む獣脂脂肪酸（獣脂類脂肪に由来）、オレイン酸、リノール酸等のナトリウム塩、カリウム塩などが挙げられる。これら不飽和脂肪酸のアルカリ金属塩は、単独で使用してもよいが、例えば、オレイン酸、リノール酸等の不飽和脂肪酸とラウリン酸、ミリスチン酸、パルミチン酸、ステアリン酸等の飽和脂肪酸との混合物のナトリウム塩、カリウム塩などを使用してもよい。この不飽和脂肪酸塩の割合は、（ａ）成分中に２質量％以上、特に７質量％以上であることが望ましい。
不飽和脂肪酸の占める割合が少なすぎると系の粘度が低下し、結果として付着滞留性が劣化するので好ましくない。
【手続補正５】
【補正対象書類名】明細書
【補正対象項目名】００７９
【補正方法】変更
【補正の内容】
【００７９】
【発明の効果】
本発明の洗浄剤は、特定の界面活性剤と水溶性化合物を含有し、かつチキソトロピー性を有することから、トリガー式スプレーヤー等の吐出装置から吐出させる際に、何ら抵抗なく良好に吐出すると共に、吐出液が比較的粗い泡を形成し、特にストレーナー、三角コーナー等に見られる垂直面、傾斜面の網目構造体への付着力に優れ、その結果、主な汚れであるヌメリに対する除去力が短時間で得られる。